(57)【特許請求の範囲】
【請求項１】
公衆無線網又は特定の無線通信チャンネルとの間で無線により通信を行う通信機能と、入力操作を行うためのキーマトリックスと、本体に設けられた受話器としてのスピーカを備え、内蔵する電池を電源として動作する移動電話機において、
少なくとも文字類の表示を行うと共に、表示器及びバックライトを付属する表示部と、
前記スピーカの近傍に設けられ、周囲の光量を検知する第１の光センサと、
前記本体の背面の所定位置に設けられ、周囲の光量を検知する第２の光センサと、
前記第１の光センサ及び前記第２の光センサの検知結果に基づいて前記表示部への電源供給を制御する制御手段を備え、
前記制御手段は、通信モード以外の状態にあるとき、前記第１の光センサ及び前記第２の光センサが「暗」状態を検知したことをもって、前記表示部への電源供給を行って前記バックライトを点灯し、前記バックライトの点灯が一定時間経過した後に前記第２の光センサが「暗」状態を継続していることをもって、前記表示部への電源供給を継続し、前記第１の光センサが「明」状態を検知したことをもって、前記表示部の表示状態を不変のまま、前記バックライトの光量を抑制することを特徴とする移動電話機。
【請求項２】
前記通信機能及び前記制御手段は、携帯電話、ＰＨＳ(Personal Handyphone System)、ＰＤＡ（Personal Digital Assistant）、又は前記特定の無線通信チャンネルを用いる移動用の無線通信機のいずれかに対応していることを特徴とする請求項１記載の移動電話機。
【請求項３】
前記制御手段は、通信状態にあるとき、前記第１の光センサの検知出力が「明」状態から「暗」状態に変化し、そのときの前記第２の光センサの検知出力が「明」状態であることをもって、前記表示部への電源供給を停止することを特徴とする請求項１又は２記載の移動電話機。
【請求項４】
前記制御手段は、通信状態にあって前記第１の光センサの検知出力が「暗」状態から「明」状態に変化したとき、前記表示部への電源供給を再開することを特徴とする請求項３記載の移動電話機。
【請求項５】
前記本体は、二つ折りの構造を有し、前記表示部は、前記本体の内面又は操作面に設置された第１の表示部と、前記本体の背面に設置された第２の表示部を含み、
前記制御手段は、前記第２の光センサが「暗」状態を検知したときには前記バックライトを点灯し、前記第２の光センサが「明」状態を検知したときには前記バックライトの光量を抑制する制御を行うことを特徴とする請求項１又は２記載の移動電話機。
【発明の詳細な説明】
【０００１】
【発明の属する技術分野】
本発明は、移動電話機に関し、特に、通信時などの使用状況や操作状況に応じて適切に表示器の制御が行われるようにした移動電話機に関する。
【０００２】
【従来の技術】
携帯電話機やＰＨＳ(Personal Handyphone System)機などの移動電話機は、通常、液晶表示器を備えている。一般に、電源オンの状態にあるとき、オフフックボタン（又は、同様機能にしてて一実施の形態を示すされたボタン）を押すと、液晶表示器やキーのバックライトが点灯すると共に、表示器には日付けや時間が表示される。そして、電源オンから一定時間が経過してもユーザーによる操作が検知されないと、バックライトは消灯するが、表示器の表示は電源がオフにされるまで継続される。
【０００３】
移動電話機は、電池を電源としているため、使用時間が限られている。したがって、不必要な回路等への供給は停止又は低減し、或いは状況に応じて適切な制御が行われることが望ましい。しかし、通話時を例にとると、ユーザーがオフフックをした後、本体を片手に持って受話器（スピーカ）部分が耳の近くになるように保持し、通話中はその姿勢が維持され、ユーザーは表示器を見れない状態になるにもかかわらず、表示器（更にはバックライト）に電源が供給されたままになる。つまり、通話時には表示器を動作させる必要がないにもかかわらず、表示器に電源供給が行われていることになる。
【０００４】
また、移動電話機においては、ユーザーの使い勝手を向上させる手段が考えられている。例えば、特開２０００−３３２８６１号公報においては、携帯電話機のスピーカ部の近傍に光センサを設け、この光センサが耳に近接して遮光を検出すると、バックライトとしてのＥＬ（エレクトロ・ルミネセンス）の電源を断ち、ＥＬの点灯時に発生するノイズ異音がユーザーの耳に入らないようにしている。
【０００５】
更に、特開２０００−２２８６８９号公報がある。本体の下部の前面又は側面に光センサを設け、この光センサが検知した収納状態の変化を検出し、これに基づいてオフフック及びオンフックの操作が自動的に行われる。例えば、服のポケットやバッグなどから携帯電話機を取り出す操作をするのみで、光センサが外光を検出して自動的にオフフックし、逆に、ポケットやバッグに携帯電話機を収納する操作を行うのみで光センサが外光に対する遮光を検出し、自動的にオンフックになる。
【０００６】
【発明が解決しようとする課題】
しかし、従来の移動電話機によると、特開２０００−３３２８６１号公報では、通話時にＥＬが消灯するのみで表示部には通電されたままである。また、特開２０００−２２８６８９号公報の場合、オフフック及びオンフックの自動化は可能であるが、表示部には通電されたままであり、表示器による省電力化は行えない。そして、光センサはポケットやバッグ、或いは充電器の収納部を使用対象にしているため、これら以外の状態においては光センサが機能せず、表示器の制御範囲は限られている。
【０００７】
したがって、本発明の目的は、通信時及びその他の使用時に対応して表示部の電源制御を可能にする移動電話機を提供することにある。
【０００８】
【課題を解決するための手段】
本発明は、上記の目的を達成するため、公衆無線網又は特定の無線通信チャンネルとの間で無線により通信を行う通信機能と、入力操作を行うためのキーマトリックスと、本体に設けられた受話器としてのスピーカを備え、内蔵する電池を電源として動作する移動電話機において、少なくとも文字類の表示を行うと共に、表示器及びバックライトを付属する表示部と、前記スピーカの近傍に設けられ、周囲の光量を検知する第１の光センサと、前記本体の背面の所定位置に設けられ、周囲の光量を検知する第２の光センサと、前記第１の光センサ及び前記第２の光センサの検知結果に基づいて前記表示部への電源供給を制御する制御手段を備え、前記制御手段は、通信モード以外の状態にあるとき、前記第１の光センサ及び前記第２の光センサが「暗」状態を検知したことをもって、前記表示部への電源供給を行って前記バックライトを点灯し、前記バックライトの点灯が一定時間経過した後に前記第２の光センサが「暗」状態を継続していることをもって、前記表示部への電源供給を継続し、前記第１の光センサが「明」状態を検知したことをもって、前記表示部の表示状態を不変のまま、前記バックライトの光量を抑制することを特徴とする移動電話機を提供する。
【０００９】
この構成によれば、例えば、本体を両手に持ってキーマトリックスを操作している状態から通話のために本体を耳に近づける操作を行うと、第１の光センサはスピーカの近傍に設けられているために、それまで検知していた明状態から暗状態の検知動作に変化するが、第２の光センサは外側を向いているために明状態を検知する。これら光センサの検知状態から、制御部は表示部への電源供給を制御する。上記のように、本体を耳に近づける操作はユーザーが表示部を見ない状態にあることを意味することから、制御部は表示部の表示器及びバックライトへの電源供給を断つように制御する。これにより、移動電話機は表示部に電源供給を行わない分だけ電力消費を低減できる。また、移動等により明るい場所から暗い場所へ移動したとき等においては、第１の光センサは明状態から暗状態に検知内容が変化する。そこで、制御部は表示部の表示が見にくくなったと判断し、バックライトを点灯する。通信モード以外の状態にあるときは、第１の光センサ及び第２の光センサが暗状態を検知したことをもって、表示部への電源供給を行ってバックライトを点灯し、バックライトの点灯が一定時間経過した後に第２の光センサが暗状態を継続していることをもって、表示部への電源供給を継続し、第１の光センサが明状態を検知したことをもって、表示部の表示状態を不変のまま、バックライトの光量を抑制する。このように、状況に応じて表示部の電源供給が制御されることにより、消費電力の低減が図れ、さらに表示を見やすくできることからユーザーの使い勝手が向上する。
【００１０】
【発明の実施の形態】
以下、本発明の実施の形態について図面を基に説明する。
〔第１の実施の形態〕
図１は、本発明の移動電話機の第１の実施の形態を示す。
本発明の移動電話機は、アンテナ１、高周波部２、ベースバンド信号処理部３、ＣＰＵ４、ＣＰＵ周辺機能制御部５、キーマトリックス６、その他のデバイス７、液晶（ＬＣＤ）表示器及びバックライトとしてのＥＬを備える表示部８、マイク９、スピーカ１０、音声処理部１１、及び光センサ１２，１３を備えて構成されている。移動電話機は、例えば携帯電話機であり、無線により公衆無線網の基地局との間で通信を行うことができる。
【００１１】
アンテナ１には、送信機能と受信機能を備える高周波部２が接続され、この高周波部２にはベースバンド信号処理部３が接続されている。ベースバンド信号処理部３は、復調された信号の処理及び音声信号や画像信号を送信するために処理する。ＣＰＵ４は移動電話機の全体を制御し、ＣＰＵ周辺機能制御部５を介して表示部８や光センサ１２，１３等を制御する。キーマトリックス６は、数字キー、記号キー、機能キー等を備え、電話番号の入力、モード切り替え、メール作成等の際にユーザーにより操作される。その他のデバイス７は、着信表示用のＬＥＤ等である。表示部８は、白黒又はカラーの液晶表示器が用いられ、数行の文字類（漢字、かな、カナ、アルファベット、数字、記号、特殊記号等）、イラスト、又は画像（静止画又は動画）を表示する。マイク９は送話器となるもので、本体の前面の下部に設けられている。スピーカ１０は受話器となるもので、本体の前面の上部に設けられている。音声処理部１１は、通話時のマイク９からの音声をデジタル化したり、受信したデジタル音声情報をアナログ信号に変換してスピーカ１０に出力する処理を実行する。
【００１２】
図２は、図１の移動電話機の外観を示す。図２において、（ａ）は正面側を示し、（ｂ）は背面側を示している。
移動電話機２０は、図１のアンテナ１を除く他の部材が本体１５内に収納されている。本体１５の上部には伸縮式のアンテナ１が取り付けられ、本体１５の正面（操作面）には、キーマトリックス６と表示部８がレイアウトされている。キーマトリックス６の下側にはマイク９が設けられ、表示部８の上側にはスピーカ１０が設けられている。さらに、表示部８とスピーカ１０の間には、光センサ１２が設けられている。ここでは、表示部８とスピーカ１０の間に光センサ１２を配置したが、スピーカ１０の左右、又は上側に設けてもよい。また、本体１５の背面には、手で持ったときに指で隠されない位置に光センサ１３が設けられている。
【００１３】
図３は、本発明の移動電話機の動作を示す。図中、Ｓはステップを表している。図１〜図３を参照して本発明の移動電話機の動作を説明する。以下においては、移動電話機として携帯電話機を用いる。
キーマトリックス６の内の電源キーを押下すると、携帯電話機の電源が入り（Ｓ１０１）、携帯電話機は待機モードになる（Ｓ１０２）。この状態で、通話のためにユーザーがキーマトリックス６の内の開始ボタンを押下すると、オフフック状態になり（Ｓ１０３）、携帯電話機は通信モードに入る（Ｓ１０４）。ここで、ユーザーは、携帯電話機の本体を片手（例えば、左手）で持ち、スピーカ１０が耳の位置になるように携帯電話機を位置決めすると、回線が接続された以後に通話が行える状態になる。この状態では、スピーカ１０の近傍に設置された光センサ１２が、ユーザーの耳により覆われる状態になるので、「暗」状態を検知する（Ｓ１０５）。ＣＰＵ４は、光センサ１２からの「暗」検知信号に基づいて、「ユーザーが通話中である」ことを判断する（Ｓ１０６）。ＣＰＵ４は、ＣＰＵ周辺機能制御部５を介して表示部８のＬＣＤ／ＥＬへの電力供給を停止する（Ｓ１０７）。これにより、電力消費を低減することができ、電池の使用可能時間を延ばすことができる。
【００１４】
通話が終了し、ユーザーが携帯電話機（移動電話機２０）を耳から離すと、光センサ１２は外光を感知し、「明」状態を検知する（Ｓ１０８）。ＣＰＵ４は、光センサ１２からの検知信号に基づいて、「ユーザーが通話を終了しようとしている」ことを判断し、ＣＰＵ周辺制御部５を通して表示部８への電力供給を再開し（Ｓ１０９）、文字や画像による情報を表示部８に表示する。この状態においてキーマトリックス６の内のオンフックに相当するボタンが押下されると、ＣＰＵ４は通信終了を判断し（Ｓ１１０）、待機モードへリターンする（Ｓ１０２）。
【００１５】
また、携帯電話機のユーザーが、Ｅメールやインターネット配信等による文字や画像を閲覧するためにキーマトリックス６を操作すると、選択したモードが実行される（Ｓ１１２）。この選択したモードを使用中に、例えば、突然周囲が暗くなった場合（例えば、移動中に照明の暗い建物内に入った場合）、ＣＰＵ４は光センサ１２と光センサ１３の状態を検出し（Ｓ１０５、Ｓ１１７）、両センサが共に「暗」状態を検知したことをもって、周囲が暗いことを判断し、表示部８ＥＬに電源供給を行ってバックライトを点灯し（Ｓ１１９）、周囲が暗くとも表示内容が見れるようにする。その後、明るい場所に移動することも考えられるので、一定時間後に光センサ１２，１３で再検知を行い（Ｓ１０５，１１７）、光センサ１３の「暗」状態が継続されていれば、Ｓ１１９の制御を継続する。このとき、選択した設定モードが解除されたか否かを判定し（Ｓ１１５）、解除されていれば、電源オフのボタンが押下されたか否かを判定する（Ｓ１１６）。設定モードが解除され、かつ電源オンが判定された場合、処理はＳ１０２に戻される。また、設定モードが解除され、かつ電源オフが判定された場合には移動電話機２０はスイッチオフになる。
Ｓ１１９でバックライトを点灯した後、暗い場所から明るい場所へ移動した場合、光センサ１２は「明」状態を検知する（Ｓ１０５）。これにより、ＣＰＵ４はバックライトの光量を減光する。この結果、ユーザーは、バックライトが急に消灯して違和感を感じることがなくなる。
【００１６】
一方、通信モード以外のモードにおいて、光センサ１２が「明」状態を検知した場合（Ｓ１０５）、バックライトの光量を最大にしなくとも表示内容を読める明るさがあるものと判断し、センサ１３の検知状態にかかわらずバックライトの光量を落とす制御を実行する（Ｓ１１４）。光センサ１３が「明」又は「暗」のいずれを検知しても、光センサ１２の検知状態のみに依存することとしたのは、手に持った状態又は机の上に置いた状態等の状況の違いはあっても、光センサ１２が「明」状態を検知したということは、少なくとも本体１５の前面（表示面）に十分な光が注がれているとの判断によるものである。
【００１７】
上記した光センサ１２，１３の検知内容とＣＰＵ４の制御の対応を示せば、〔表１〕のようになる。
【表１】
0004304288.tif 000002
【００１８】
以上説明したように、本実施の形態によれば、ユーザーが表示部８を見ていないときの表示部８への電源供給を停止することができるため、移動電話機の省電力化を図ることができる。さらに、光センサ１２，１３の２つの光センサを用いることにより、表示部８上のバックライト点灯、バックライト光量制御等を状況に応じて行えるため、表示部８を見やすくしながら表示部８の制御が行えるようになる。
【００１９】
〔第２の実施の形態〕
図４は、本発明の第２の実施の形態を示す。本実施の形態は、折り畳み式（ヒンジにより２つ折りができ、閉じた０度の姿勢と、水平状態に開いた１８０度の姿勢を形成することができる）の移動電話機を対象としている。移動電話機によっては、折り畳み式の構造を有し、更に、本体前面のほか、本体背面にも表示部を備えたものがある。この構造例について、以下に説明する。
【００２０】
図４の構成は、図１の構成に対して、第２の表示部となる表示部１４を追加したもので、表示部１４はＣＰＵ周辺機能制御部５に接続されている。この場合、表示部８は本体内面に設置され、折り畳んだときに内側に隠れ、表示部１４は表示部８と同様にＬＣＤとＥＬを備えて本体背面に設置され、折り畳んでも外部から隠れることがない。なお、キーマトリックス６の一部は、折り畳んだ状態でも操作が可能なように設計されている。
【００２１】
図５は、図４の実施の形態の処理を示す。
図４のような構成の機種の場合、折り畳んだ状態においては、光センサ１２は常に「暗」を感知しており、内側に折り込まれた表示部８への電源供給は停止している。折り畳んだ状態でキーマトリックス６の操作を検出した場合、ユーザーが本体背面の表示部１４を見ていると判断される。そこで、図５のような処理が行われる。
【００２２】
まず、２つ折り状態か否かが不図示のセンサにより検出されると（Ｓ２０１）、キーマトリックス６が操作されたか否かが判断される（Ｓ２０２）。キーマトリックス６が操作された場合、光センサ１３の状態が判断される（Ｓ２０３）。光センサ１３が「暗」状態を検知したとき、表示部１４のバックライト（ＥＬ）を点灯する。また、光センサ１３が「明」状態を検知したとき、表示部１４のバックライトの光量を抑制（減光）する。Ｓ２０４又はＳ２０５の処理の後、キーマトリックス６のキー操作に伴う処理が実行され（Ｓ２０６）、キーマトリックス６の操作が終了すれば、待機モードに入る（Ｓ２０８）。また、Ｓ２０１又はＳ２０２で“Ｎｏ”が判断された場合、他の処理を実行する（Ｓ２０９）。
図４の実施の形態によれば、表示部８と表示部１４の２つの表示部を備えた折り畳み式の移動電話機においても、省電力化を推し進めながら、ユーザーに対して見易い状態での表示を提供することができる。
【００２３】
上記の各実施の形態において、移動電話機として携帯電話のほか、ＰＨＳ等を用いることができる。また、携帯電話機は、ＣＤＭＡ（Code Devision Multiple Access ：符号分割多元接続）方式、ＴＤＭＡ（Time Devision Multiple Access ：時分割多元接続）方式、ＦＤＭＡ（Frequency Devision Multiple Access：周波数分割多元接続）方式など、通信方式が異なっていてもよい。更に、上記の各機器のほか、携帯端末( ＰＤＡ：Personal Digital Assistant等) であってもよい。
【００２４】
また、上記実施の形態においては、移動電話機は公衆電話網に用いる機種に限ったが、本発明は公衆電話網を用途とするほか、救助用トランシーバ、業務用携帯無線機等にも適用可能である。
【００２５】
【発明の効果】
以上より明らかなように、本発明の移動電話機によれば、表示部と、前記スピーカの近傍に設けられた第１の光センサと、本体の背面の所定位置に設けられた第２の光センサと、これら光センサの検知結果に基づいて表示部への電源供給を制御する制御手段を備える構成にし、通話のために本体を耳に近づける操作を行ったとき、移動等により明るい場所から暗い場所へ移動したとき等を第１及び第２の光センサで検知し、表示部を最適に制御するようにしたので、状況に応じて表示部の電源供給が制御されることにより、消費電力の低減が図れ、さらに表示を見やすくできることから、ユーザーにおける移動電話機の使い勝手が向上する。
【図面の簡単な説明】
【図１】本発明の移動電話機の第１の実施の形態を示すブロック図である。
【図２】図１の移動電話機の外観を示し、（ａ）は正面側の斜視図、（ｂ）は背面側の斜視図である。
【図３】本発明の第１の実施の形態の動作を示すフローチャートである。
【図４】本発明の第２の実施の形態を示すブロック図である。
【図５】図４の実施の形態の処理を示すフローチャートである。
【符号の説明】
１  アンテナ
２  高周波部
３  ベースバンド信号処理部
４  ＣＰＵ
５  ＣＰＵ周辺機能制御部
６  キーマトリックス
７  その他のデバイス
８，１４  表示部
９  マイク
１０  スピーカ
１１  音声処理部
１２，１３  光センサ
【図１】
0004304288.tif 000003
【図２】
0004304288.tif 000004
【図３】
0004304288.tif 000005
【図４】
0004304288.tif 000006
【図５】
0004304288.tif 000007